(57)【要約】  特定の実施形態によれば、ネットワークノード（１００Ａ）において、割り当てられた帯域幅の範囲内で送信される複数のヌメロロジー用のスペクトル利用を決定するための方法は、複数のヌメロロジーのうち１つまたは複数を選択することを含む。１つまたは複数の選択されたヌメロロジーの各々について、スペクトル利用が決定される。スペクトル利用は、選択されたヌメロロジーが、割り当てられた帯域幅にわたって送信されると達成されるはずのスペクトル利用に、基づく。割り当てられた帯域幅およびスペクトル利用に基づいて、物理的リソースブロック（ＰＲＢ）割当てが計算される。【選択図】図８
2020533893.tif 000002
【特許請求の範囲】
【請求項１】
割り当てられた帯域幅の範囲内で送信される複数のヌメロロジー用のスペクトル利用を決定するための方法であって、
前記複数のヌメロロジーのうち１つまたは複数を選択することと、
前記１つまたは複数の選択されたヌメロロジーの各々について、
前記選択されたヌメロロジーが前記割り当てられた帯域幅にわたって送信されると達成されるはずのスペクトル利用に基づくスペクトル利用を決定することと、
前記割り当てられた帯域幅および前記スペクトル利用に基づく物理的リソースブロック（ＰＲＢ）割当てを計算することとを含む方法。
【請求項２】
前記スペクトル利用が、前記割り当てられた帯域幅の範囲内のユーザデータ用の第１の量の帯域幅と、前記割り当てられた帯域幅の範囲内の、使用されない第２の量の帯域幅とを含む、請求項１に記載の方法。
【請求項３】
前記第２の量の帯域幅の一部分が、前記第１の量の帯域幅のそれぞれの側に配設されて、帯域幅割当ての間のガードとして機能する、請求項２に記載の方法。
【請求項４】
前記第２の量の帯域幅が前記第１の量の帯域幅に基づいて決定される、請求項２または３に記載の方法。
【請求項５】
前記複数のヌメロロジーのうち前記１つまたは複数を選択することが、前記割り当てられた帯域幅のエッジのどちらかで送信される１つまたは複数のヌメロロジーを選択することを含む、請求項１から４のいずれか一項に記載の方法。
【請求項６】
前記１つまたは複数の選択されたヌメロロジー用に決定された前記スペクトル利用から、スペクトル利用を、前記ＰＲＢ割当てを計算するために使用される前記スペクトル利用の基本となるように選択することをさらに含む、請求項１から５のいずれか一項に記載の方法。
【請求項７】
前記選択されたスペクトル利用が最も低いスペクトル利用を含む、請求項６に記載の方法。
【請求項８】
前記ＰＲＢ割当てを計算することが、前記ＰＲＢ割当てを最も近いＰＲＢに端数切捨で丸めることを含む、請求項１から７のいずれか一項に記載の方法。
【請求項９】
前記スペクトル利用を決定することが、所定のスペクトル利用を使用することをさらに含み、前記所定のスペクトル利用が、より高い所定の帯域幅およびより低い所定の帯域幅のうち１つに基づく、請求項１から８のいずれか一項に記載の方法。
【請求項１０】
前記スペクトル利用を決定することが、補間されたスペクトル利用を使用することをさらに含み、前記補間されたスペクトル利用が、所定のより低い帯域幅および所定のより高い帯域幅と比較した、前記割り当てられた帯域幅の位置に基づく、請求項１から８のいずれか一項に記載の方法。
【請求項１１】
前記１つまたは複数の選択されたヌメロロジーの各々について、前記スペクトル利用に基づいて、それぞれのヌメロロジーの、どちらかの側で使用されない帯域幅の量を決定することをさらに含む、請求項１から１０のいずれか一項に記載の方法。
【請求項１２】
前記ＰＲＢ割当てが、前記割り当てられた帯域幅の割合に基づく、請求項１から１１のいずれか一項に記載の方法。
【請求項１３】
前記スペクトル利用が、別のノードから受信された情報、および／またはルールの適用に基づいて決定される、請求項１から１２のいずれか一項に記載の方法。
【請求項１４】
ネットワークノードによって遂行される、請求項１から１３のいずれか一項に記載の方法。
【請求項１５】
無線デバイスによって遂行される、請求項１から１３のいずれか一項に記載の方法。
【請求項１６】
割り当てられた帯域幅の範囲内で送信される複数のヌメロロジー用のスペクトル利用を決定するための装置（１００Ａ、１１０）であって、ネットワークノードが処理回路（１０２、１１２）を備え、前記処理回路（１０２、１１２）が、
前記複数のヌメロロジーのうち１つまたは複数を選択し、
前記１つまたは複数の選択されたヌメロロジーの各々について、
前記選択されたヌメロロジーが前記割り当てられた帯域幅にわたって送信されると達成されるはずのスペクトル利用に基づくスペクトル利用を決定し、
前記割り当てられた帯域幅および前記スペクトル利用に基づく物理的リソースブロック（ＰＲＢ）割当てを計算するように設定されている、装置（１００Ａ、１１０）。
【請求項１７】
前記スペクトル利用が、ユーザデータ用に使用され、前記割り当てられた帯域幅の範囲内に第１の量の帯域幅を含み、前記割り当てられた帯域幅の範囲内の第２の量の帯域幅は使用されない、請求項１６に記載の装置。
【請求項１８】
前記第２の量の帯域幅の一部分が、前記第１の量の帯域幅のそれぞれの側に配設されて、帯域幅割当ての間のガードとして機能する、請求項１７に記載の装置。
【請求項１９】
前記第２の量の帯域幅が前記第１の量の帯域幅に基づいて決定される、請求項１７または１８に記載の装置。
【請求項２０】
前記処理回路が、前記複数のヌメロロジーのうち前記１つまたは複数を選択するために、前記割り当てられた帯域幅のエッジのどちらかで送信される１つまたは複数のヌメロロジーを選択するように設定されている、請求項１６から１９のいずれか一項に記載の装置。
【請求項２１】
前記処理回路が、
前記ＰＲＢ割当てを計算するために使用される前記スペクトル利用の基本になるスペクトル利用を、前記１つまたは複数の選択されたヌメロロジー用に決定された前記スペクトル利用から選択するように設定されている、請求項１６から２０のいずれか一項に記載の装置。
【請求項２２】
前記選択されたスペクトル利用が最も低いスペクトル利用を含む、請求項２１に記載の装置。
【請求項２３】
前記処理回路が、前記ＰＲＢ割当てを計算するために、前記ＰＲＢ割当てを最も近いＰＲＢに端数切捨で丸めるように設定されている、請求項１６から２２のいずれか一項に記載の装置。
【請求項２４】
前記処理回路が前記スペクトル利用を決定するために所定のスペクトル利用を使用するようにさらに設定されており、前記所定のスペクトル利用が、より高い所定の帯域幅およびより低い所定の帯域幅のうち１つに基づく、請求項１６から２３のいずれか一項に記載の装置。
【請求項２５】
前記処理回路が、
前記１つまたは複数の選択されたヌメロロジーの各々について、前記スペクトル利用に基づいて、それぞれのヌメロロジーのどちらかの側で使用されない帯域幅の量を決定するように設定されている、請求項１６から２４のいずれか一項に記載の装置。
【請求項２６】
前記ＰＲＢ割当てが、前記割り当てられた帯域幅の割合に基づく、請求項１６から２５のいずれか一項に記載の装置。
【請求項２７】
前記処理回路が、前記スペクトル利用を決定するために、補間されたスペクトル利用を使用するようにさらに設定されており、前記補間されたスペクトル利用が、所定のより低い帯域幅および所定のより高い帯域幅と比較した、前記割り当てられた帯域幅の位置に基づく、請求項１６から２６のいずれか一項に記載の装置。
【請求項２８】
前記スペクトル利用が、別のノードから受信された情報、および／またはルールの適用に基づいて決定される、請求項１６から２７のいずれか一項に記載の装置。
【請求項２９】
ネットワークノードを備える、請求項１６から２８のいずれか一項に記載の装置。
【請求項３０】
無線デバイスを備える、請求項１６から２８のいずれか一項に記載の装置。
【請求項３１】
コンピュータ可読プログラムコードを記憶する非一時的コンピュータ可読媒体を備える記憶機構（１０３、１１３）の形態のコンピュータプログラム製品であって、前記コンピュータ可読プログラムコードが、装置によって実行されたとき、請求項１から１５のいずれか一項に記載の方法を実施するように動作可能である、コンピュータプログラム製品。
【発明の詳細な説明】
【技術分野】
【０００１】
本開示の実施形態は、一般にスペクトル利用の決定に関する。
【背景技術】
【０００２】
３ＧＰＰは、現在、５Ｇの基本になる、ＩＭＴ−２０２０に提出されるはずの、新無線（ＮＲ）として知られている新規の無線アクセス技術（ＲＡＴ）を開発している。ＮＲは、スペクトル効率の改善、レイテンシの低減、およびＩＭＴ（国際移動体通信）技術に関する新規の使用事例を可能にすることを含めて複数の目的を満たすことを目標とする。
【０００３】
詳細には、ＮＲは、従来のセルラ無線技術よりも広い範囲の使用事例を可能にすると期待されている。可能な使用事例は、ＭＢＢ（移動性ブロードバンド）、超高信頼低レイテンシ通信（ＵＲＬＬＣ）、マシンタイプ通信（ＭＴＣ）、デバイス間（Ｄ２Ｄ）、車両間および路車間の通信（Ｖ２Ｖ  ＆  Ｖ２Ｘ）を含む。
【０００４】
ＮＲエアインターフェースは、直交周波数分割多重（ＯＦＤＭ）に基づくものになるはずである。ＯＦＤＭ波形規格を開発するとき、２つの相互に関係しキーとなるパラメータが、周波数領域におけるサブキャリア間隔およびシンボル長である。図１に図解されているように、Ｅ−ＵＴＲＡについては、サブキャリア間隔は１５ｋＨｚに固定され、シンボル長（からサイクリックプレフィックスを引いたもの）が６６．７μｓｅｃに固定されており、たとえば３ＧＰＰ  ＴＳ  ３６．２０１  Ｖ１４．１．０（２０１７年３月２３日）を参照されたい。
【０００５】
ＮＲについては、サブキャリア間隔の可能性は、１つだけでなく複数になるはずである。サブキャリア間隔の可能性は１５×２ｎｋＨｚに基づくはずであり、ｎは１、２、３、．．．または可能性として０．５もしくは０．２５でよい。３ＧＰＰ  ＴＲ  ３８．８０４  Ｖ１４．０．０（２０１７年３月２４日）を参照されたい。
【０００６】
サブキャリア間隔の複数個の可能性を許容することにはいくつかの理由がある。第１に、ＮＲは、１ＧＨｚ未満から数十ＧＨｚまでのスペクトルの多様な範囲において動作することが期待されている。必要とされるサブキャリア間隔は、送信器および受信器において経験される位相ノイズに応じ、位相ノイズの量は周波数範囲に応じたものになる。したがって、周波数範囲の異なる部分に対して異なるサブキャリア間隔が必要とされる。サブキャリア間隔の異なる可能性を許容する第２の理由は、シンボル長がサブキャリア間隔に直接関連することである。サブキャリア間隔が広ければ広いほど、シンボル長は短い。図２は、例示のＮＲサブキャリア間隔およびシンボル持続時間の可能性を図解する。
【０００７】
ＵＲＬＬＣなどのいくつかの用途にとってはレイテンシが重要であり、したがって、より大きなサブキャリア間隔と、関連してより短いサブフレーム長とが必要である。ＭＢＢなどの他の用途にとってはスペクトル効率が重要であり、サブキャリア間隔は、位相ノイズおよびサイクリックプレフィックス（ＣＰ）からのオーバヘッドを最小化するようにセットする必要があり、このことによってサブフレーム間隔がより広くなる。
【０００８】
たとえばブロードキャストの送信および同期のためなど、いくつかのタイプの物理チャネル向けに、データ用に使用されるサブキャリア間隔と比較して、より広いサブキャリア間隔を使用する可能性がある。基地局またはＵＥが、異なるタイプのサービスを送信しているかまたは受信している場合、それぞれのサービスに対して異なるサブキャリア間隔が適切である可能性がある。最適な複合サービス送信を可能にするために、３ＧＰＰは、５Ｇ規格の中に、基地局とＵＥのいずれか一方または両方に対して同一の周波数割当ての範囲内で２つの異なるヌメロロジーを送信する可能性を含めることを考えている。それぞれのヌメロロジーにどれだけのキャリアを割り当てるべきかということは基地局によって判断されてよく、頻繁に変更され得る。図３は、異なるヌメロロジーを送信することの一例を図解する。
【０００９】
スペクトル効率を向上するという目的を達成するために、３ＧＰＰは、ＮＲ用のスペクトル利用を増加することに合意した。ＵＴＲＡまたはＥ−ＵＴＲＡなど以前のＲＡＴについては、いわゆるスペクトル利用は９０％に固定されている。これは、送信用にＸの帯域幅が割り当てられる場合、送信用に使用されるのはＸの９０％のみであることを意味する。スペクトルのうち残りの１０％は使用されない。図４Ａに図解されているように、帯域幅のいずれの側においてもスペクトルの５％が一般的には使用されない。
【００１０】
図４Ｂによって図解されているように、スペクトル利用を９０％に制限すると、１つのキャリアから次のキャリアへの干渉を回避するフィルタリングまたはウィンドウ処理の技法のロールオフのための、周波数領域における利用可能な余地を残す。このようにして、異なるオペレータ向けの帯域幅割当ては、互いに対する干渉をもたらさないはずである。
【００１１】
ＮＲに関して、望ましくない送出のフィルタリング／ウィンドウ処理のために必要とされる未使用の帯域幅の量は、多くの場合、キャリアのどちらの側でも５％未満であり得ることが認識されている。これによって、割り当てられた帯域幅のエッジの外側の望ましくない送出の制限を保証するためにフィルタリングまたはウィンドウ処理の技法を引き続き使用することができる一方で、帯域幅の９０％超の部分をユーザデータの送信のために使用することができるようになる。しかしながら、一般的なスペクトル利用の割合は、ＮＲに対してＥ−ＵＴＲＡまたはＵＴＲＡと同様に割り当てることができるわけではない。これは、信号のフィルタリング／ウィンドウ処理のために必要とされる周波数領域における余地の量が、割り当てられた帯域幅のサイズと、送信のために使用されるサブキャリア間隔とに応じたものになるからである。
【発明の概要】
【００１２】
同一のキャリア上で異なるヌメロロジーを送信するための、無線通信ネットワークにおける改善されたスペクトル利用が必要とされている。本出願は、単一チャネルの帯域幅または帯域幅割当ての中に２つ以上のヌメロロジーを多重化するとき、それぞれのヌメロロジーに対して割り当てられた帯域幅のスペクトル利用を判断する方法を目的とする。本開示の実施形態は、割り当てられた帯域幅の範囲内で異なるヌメロロジーを柔軟に割り当てることができる基地局にとって必要なスペクトル利用をセットするためのシステムおよび方法を提供する。
【００１３】
開示される実施形態のうち少なくともいくつかによって提供される利益には、複数個のヌメロロジーが、同一の割り当てられた帯域幅またはこの帯域幅の一部分の範囲内で、また、いくつかの例では同一のシンボルの範囲内で、多重化され得ることがある。これは、キャリア間干渉を制御しながら、効率的かつ相互運用可能なやり方で、融通性のあるリソース利用を提供する。実施形態は、実施される複数個のヌメロロジーが単一チャネルの帯域幅または同一のシンボルの範囲内で多重化されるとき、簡単なフィルタ設計を提供する。
【００１４】
特定の実施形態によれば、割り当てられた帯域幅の範囲内で送信される複数のヌメロロジー用のスペクトル利用を決定するための方法は、複数のヌメロロジーのうち１つまたは複数を選択することを含む。１つまたは複数の選択されたヌメロロジーの各々について、スペクトル利用が決定される。スペクトル利用は、選択されたヌメロロジーが、割り当てられた帯域幅にわたって送信されると達成されるはずのスペクトル利用に、基づく。割り当てられた帯域幅およびスペクトル利用に基づいて、物理的リソースブロック（ＰＲＢ）割当てが計算される。
【００１５】
特定の実施形態によれば、上記の方法は、たとえばｅＮｏｄｅＢまたはｇＮＢといったネットワークノードによって実施される。
【００１６】
他の実施形態によれば、上記の方法は、たとえばＵＥといった無線デバイスによって実施される。
【００１７】
特定の実施形態によれば、割り当てられた帯域幅の範囲内で送信される複数のヌメロロジーのためのスペクトル利用を決定するための装置が提供される。この装置が含む処理回路は、複数のヌメロロジーのうち１つまたは複数を選択して、選択された１つまたは複数のヌメロロジーの各々に対してスペクトル利用を決定するように設定されている。スペクトル利用は、選択されたヌメロロジーが、割り当てられた帯域幅にわたって送信されると達成されるはずのスペクトル利用に、基づく。割り当てられた帯域幅およびスペクトル利用に基づいて、物理的リソースブロック（ＰＲＢ）割当てが計算される。
【００１８】
特定の実施形態によれば、上記の装置は、たとえばｅＮｏｄｅＢまたはｇＮＢといったネットワークノードを備える。
【００１９】
他の実施形態によれば、上記の装置は、たとえばＵＥといった無線デバイスを備える。
【００２０】
特定の実施形態によれば、コンピュータ可読プログラムコードを記憶する非一時的コンピュータ可読媒体を備える記憶機構（１１３、１０３）の形態のコンピュータプログラム製品が提供され、コンピュータ可読プログラムコードは、装置によって実行されたとき、上記で説明された方法を遂行するように動作可能である。
【００２１】
本開示の特定の実施形態は、１つまたは複数の技術的な利点を提供し得る。たとえば、特定の実施形態は、割り当てられた帯域幅の範囲内で送信される、ヌメロロジーの異なる組合せのためのスペクトル利用およびＰＲＢ割当てを判断するための一般的な機構を提供し得、したがって、融通性のあるスペクトル利用の標準化が可能になり得る。列挙された利点を有しない、いくつか有する、またはすべて有する、特定の実施形態があり得る。
【００２２】
次に、開示された実施形態ならびにその特徴および利点のより完全な理解のために、添付図面とともに以下の説明が参照される。
【図面の簡単な説明】
【００２３】
【図１】特定の実施形態による、ＬＴＥサブキャリア間隔およびシンボル持続時間の一例の図である。
【図２】特定の実施形態による、異なるヌメロロジーを用いる、可能なＮＲサブキャリア間隔およびシンボル持続時間の可能性の図である。
【図３】特定の実施形態によって、割り当てられた帯域幅の範囲内で異なるヌメロロジーを送信する一例の図である。
【図４Ａ】特定の実施形態による、Ｅ−ＵＴＲＡスペクトル利用の一例の図である。
【図４Ｂ】特定の実施形態による、Ｅ−ＵＴＲＡを用いるオペレータ間のガードの一例の図である。
【図５】特定の実施形態による無線通信ネットワークの概略図である。
【図６】特定の実施形態による、複数個のヌメロロジーを利用する送信の一例の図である。
【図７】特定の実施形態による、複数個のヌメロロジーを利用する送信の別の例の図である。
【図８】特定の実施形態による、スペクトル利用を決定するための例示の流れ図である。
【図９】特定の実施形態による、スペクトル利用を決定するための例示の流れ図である。
【図１０】特定の実施形態による例示の無線ネットワークコントローラまたはコアネットワークノードの概略ブロック図である。
【図１１】特定の実施形態による例示の無線デバイスの概略ブロック図である。
【図１２】特定の実施形態による例示のネットワークノードの概略ブロック図である。
【発明を実施するための形態】
【００２４】
上記で説明されたように、無線通信ネットワークにおけるスペクトル利用を改善することが必要とされている。さらに、スペクトル利用に関連した多くの技術的問題がある。スペクトル利用のための既存の３ＧＰＰ判断および解決策は、送信される帯域幅の全体にわたって単一のヌメロロジーが適用されるとの仮定に基づく。しかしながら、上記で説明されたように、基地局が同一のキャリア上で異なるヌメロロジーの送信が可能であることも意図されている。異なるヌメロロジーが送信される場合、割り当てられた帯域幅のスペクトル利用を判断するやり方が現在明らかではない。
【００２５】
以下の表１および表２に示されるように、複数の特定の帯域幅／サブキャリア間隔の組合せのための物理的リソースブロック（ＰＲＢ）の使用可能な数について可能な値が表されている。
2020533893.tif 000003
2020533893.tif 000004
【００２６】
その上、基地局は、送信される異なるヌメロロジーの量と、それぞれのヌメロロジーに割り当てられる帯域幅とを動的に適合させ得る。これは、異なるヌメロロジーの割当ての組合せの巨大なセットがあり得ることを意味する。それぞれの組合せについて、スペクトル利用目標が必要とされる。スペクトル利用目標は、単一のヌメロロジーに関する既存の３ＧＰＰスペクトル利用合意から読み取ることはできない。望ましくない送出要求が定義され得て特定の条件下で満たされ得るように、利用目標が必要とされる。その上、スペクトル利用は、受信器ＡＣＳのために必要とされるフィルタリングの量に影響を与えるはずである。スペクトル利用目標は、フィルタ設計が複雑にならないように、ヌメロロジーの設定に関係なく、必要とされるフィルタリングがキャリアの両側において均一になることを保証する必要がある。
【００２７】
特定の実施形態によれば、包含されているヌメロロジーが全てのキャリアにわたって分離して送信される場合には各々に適用されるパーセンテージスペクトル利用を考慮に入れた解決策が提供される。次いで、これらのヌメロロジーおよびスペクトル利用値のうち１つが、全てのキャリアに関するスペクトル利用を判断するための基本として識別され得る。次いで、全てのキャリアに関する識別されたスペクトル利用および個別のヌメロロジーに対して割り当てられた帯域幅に基づいて、異なるヌメロロジーに関する物理的リソースブロック（ＰＲＢ）帯域幅が異なる値を有することになり、全体的なパーセンテージスペクトル利用が達成されるであろうことを考慮に入れて、それぞれのヌメロロジーに対してＰＲＢ利用値が割り当てられる。
【００２８】
特定の特別な実施形態によれば、キャリアの２つのエッジにおいて送信される２つのヌメロロジーが考慮に入れられ得る。最も低いスペクトル利用パーセンテージを伴うヌメロロジーが識別され、全てのキャリアに関するスペクトル利用として使用される。キャリアの両エッジにおいて、識別されたパーセンテージスペクトル利用が達成されるようにＰＲＢが割り当てられる。開示された実施形態のうち少なくともいくつかによって提供される利益には、複数個のヌメロロジーが、同一のチャネル帯域幅の範囲内で、また、いくつかの例では同一のシンボルの範囲内で、多重化され得ることがある。これは、キャリア間干渉を制御しながら、効率的かつ相互運用可能なやり方で、融通性のあるリソース利用を提供する。実施形態は、実施される複数個のヌメロロジーが単一チャネルの帯域幅または同一のシンボルの範囲内で多重化されるとき、簡単なフィルタ設計を提供する。
【００２９】
図５〜図１１は、スペクトル利用を判断するための解決策をもたらす複数の実施形態を開示する。具体的には、図５は、特定の実施形態による無線通信ネットワーク４００の概略図である。図解された実施形態において、図５は、ネットワーク１２０、ネットワークノード１００Ａ〜１００Ｂ（ネットワークノード１００Ａは一般に「ネットワークノード１００」と参照され得る）、および無線デバイス１１０を含む。異なる実施形態では、無線通信ネットワークは、任意数の有線または無線のネットワーク、ネットワークノード、基地局（ＢＳ）、コントローラ、無線デバイス、中継局、ならびに／あるいは、有線もしくは無線の接続を介したデータおよび／または信号の通信を容易にし得る、または同通信に関与し得る、任意の他の構成要素を備え得る。
【００３０】
ネットワーク１２０は、１つまたは複数のＩＰネットワーク、公衆スイッチ電話ネットワーク（ＰＳＴＮ）、パケットデータネットワーク、光学ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、都市内ネットワーク、およびデバイス間の通信を可能にするための他のネットワークを備え得る。
【００３１】
ネットワークノード１００は、任意の種類のネットワークノード１００を参照し得、これは、ノードＢ、基地局（ＢＳ）、無線基地局、マルチスタンダード無線（ＭＳＲ）の無線ノードたとえばＭＳＲ  ＢＳ、ｅＮｏｄｅＢ、ｇＮｏｄｅＢ／ｇＮＢ、ネットワークコントローラ、無線ネットワークコントローラ（ＲＮＣ）、マルチセル／マルチキャストの協調エンティティ（ＭＣＥ）、基地局コントローラ（ＢＳＣ）、中継ノード、ベーストランシーバ局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散型アンテナシステム（ＤＡＳ）のノード、コアネットワークノード（たとえばＭＳＣ、ＭＭＥ、ＳＯＮノード、協調ノードなど）、Ｏ＆Ｍ、ＯＳＳ、測位ノード（たとえばＥ−ＳＭＬＣ）、ＭＤＴ、外部ノード（たとえばサードパーティノード、現行のネットワークの外のノードなど）、または任意の適切なネットワークノードを備え得る。
【００３２】
ネットワークノード１００は、インターフェース１０１、プロセッササーキットリ１０２、記憶機構１０３、およびアンテナ１０４を備える。これらの構成要素は、単一のより大きなボックスの内部にある単一のボックスとして表現されている。しかしながら、実際には、ネットワークノード１００は、図解された単一の構成要素を構成する複数個の異なる物理的構成要素を備え得る（たとえば、インターフェース１０１は、有線接続のために電線を結合するための端子と、無線接続のための無線トランシーバとを備え得る）。別の例として、ネットワークノード１００は、物理的に分離した複数個の異なる構成要素が相互作用してネットワークノード１００の機能をもたらす仮想ネットワークノードでよい（たとえば、プロセッサ１０２は、３つの個別の筐体内にある３つの個別のプロセッサを備えてよく、各プロセッサが、ネットワークノード１００の特別なインスタンス向けの異なる機能に関与する）。同様に、ネットワークノード１００は、複数個の物理的に分離した構成要素（たとえばＮｏｄｅＢ構成要素とＲＮＣ構成要素、ＢＴＳ構成要素とＢＳＣ構成要素、など）から成り得、各構成要素が、自身のプロセッサ、記憶機構、およびインターフェース構成要素を有し得る。ネットワークノード１００が複数個の分離した構成要素（たとえばＢＴＳ構成要素およびＢＳＣ構成要素）を備える特定のシナリオでは、分離した構成要素のうち１つまたは複数がいくつかのネットワークノードの間で共有され得る。たとえば、単一のＲＮＣが複数個のＮｏｄｅＢを制御してよい。そのようなシナリオでは、固有のＮｏｄｅＢとＢＳＣの対のそれぞれが、個別のネットワークノードでよい。いくつかの実施形態では、ネットワークノード１００は、複数個の無線アクセス技術（ＲＡＴ）をサポートするように設定され得る。そのような実施形態では、いくつかの構成要素は二重（たとえば異なるＲＡＴ用の個別の記憶機構１０３）にされてよく、いくつかの構成要素は再利用されてよい（たとえばＲＡＴによって同一のアンテナ１０４が共有され得る）。
【００３３】
プロセッサ１０２は、マイクロプロセッサ、コントローラ、マイクロコントローラ、中央処理装置、デジタル信号プロセッサ、特定用途向け集積回路、フィールドプログラマブルゲートアレイ、処理回路、または任意の他の適切なコンピュータデバイス、リソースのうち１つまたは複数の組合せ、あるいは、単独で、または記憶機構１０３などネットワークノード１００の他の構成要素とともに、ネットワークノード１００の機能をもたらすように動作可能なハードウェア、ソフトウェアおよび／または符号化されたロジックの組合せでよい。たとえば、プロセッサ１０２は、記憶機構１０３に記憶された命令を実行してよい。そのような機能には、無線デバイス１１０などの無線デバイスに、本明細書で開示された機能または利点のうち任意のものを含めて、本明細書で論じられた様々な無線機能を与えることが含まれ得る。
【００３４】
記憶機構１０３は、限定することなく、持続性の記憶機構、ソリッドステートメモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性のコンピュータ可読記憶装置を備え得る。記憶機構１０３は、ネットワークノード１００によって利用される、ソフトウェアおよび符号化されたロジックを含む任意の適切な命令、データまたは情報を記憶し得る。記憶機構１０３は、プロセッサ１０２による任意の計算および／またはインターフェース１０１を介して受信した任意のデータを記憶するように使用され得る。
【００３５】
ネットワークノード１００はインターフェース１０１も備え、インターフェース１０１は、ネットワークノード１００、ネットワーク１２０、および／または無線デバイス１１０との間のシグナリングおよび／またはデータの有線または無線の通信において使用され得る。たとえば、インターフェース１０１は、ネットワークノード１００が有線接続を通じてネットワーク１２０との間でデータを送受信するのを可能にするために必要とされ得る、任意のフォーマット化、符号化、または書き換えを実施してよい。インターフェース１０１は、無線送信器および／または無線受信器も含み得、これらはアンテナ１０４に結合されてよく、アンテナ１０４の一部分でもよい。無線送信器／受信器は、他のネットワークノードまたは無線デバイス１１０に送付されるデジタルデータを、無線接続を介して受信してよい。無線送信器／受信器は、デジタルデータを、適切なチャネルおよび帯域幅パラメータを有する無線信号に変換してよい。次いで、無線信号が、アンテナ１０４を介して、たとえば無線デバイス１１０などの適切な受側に送信されてよい。
【００３６】
アンテナ１０４は、データおよび／または信号を無線で送受信することができる任意のタイプのアンテナでよい。いくつかの実施形態では、アンテナ１０４は、たとえば２ＧＨｚ〜６６ＧＨｚの無線信号を送受信するように動作可能な１つまたは複数の全方向アンテナ、セクタアンテナ、またはパネルアンテナを備え得る。全方向アンテナは任意の方向の無線信号を送受信するように使用されてよく、セクタアンテナは特別な領域内のデバイスから無線信号を送受信するように使用されてよく、パネルアンテナは、比較的直線の無線信号を送受信するために使用される見通し線アンテナでよい。
【００３７】
無線デバイス１１０は、ネットワークノード１００などのネットワークノードおよび／または他の無線デバイス１１０との間で、データおよび／または信号を無線で送受信することができる、任意のタイプの無線エンドポイント、移動ステーション、移動式電話、無線ローカルループ電話、スマートフォン、ユーザ機器（ＵＥ）、デスクトップコンピュータ、ＰＤＡ、セル式電話、タブレット、ラップトップコンピュータ、ＶｏＩＰ電話、および／または乗物もしくは乗物におけるテレマティックユニットでよい。たとえば、無線デバイス１１０は、１つもしくは複数のネットワークノード１００Ａ〜１００Ｂに無線信号を送信してよく、かつ／または１つもしくは複数のネットワークノード１００Ａ〜１００Ｂから無線信号を受信してよい。無線信号は、音声トラフィック、データトラフィック、制御信号、および／または任意の他の適切な情報を含有し得る。いくつかの実施形態では、ネットワークノード１００に関連した無線信号のカバレッジ領域はセルと称され得る。いくつかの実施形態では、無線デバイス１１０はデバイス対デバイス（Ｄ２Ｄ）の能力を有し得る。したがって、無線デバイス１１０は、別の無線デバイスとの間で信号を直接送受信することができてよい。
【００３８】
無線デバイス１１０は、インターフェース１１１、処理サーキットリ１１２、記憶機構１１３、アンテナ１１４、および電力源１１５を備える。無線デバイス１１０の構成要素は、ネットワークノード１００と同様に、単一のより大きなボックスの内部にある単一のボックスとして表現されているが、しかしながら、実際には、無線デバイスは、単一の図解された構成要素を構成する複数個の異なる物理的構成要素を備え得る（たとえば、記憶機構１１３は、複数個の離散マイクロチップを備えてよく、各マイクロチップが総記憶容量の一部分を表す）。
【００３９】
インターフェース１１１は、無線デバイス１１０とネットワークノード１００の間のシグナリングおよび／またはデータの無線通信に使用され得る。たとえば、インターフェース１１１は、無線デバイス１１０が無線接続を通じてネットワークノード１００との間でデータを送受信するのを可能にするために必要とされ得る、任意のフォーマット化、符号化、または書き換えを実施してよい。インターフェース１１１は、無線送信器および／または無線受信器も含み得、これらはアンテナ１１４に結合されてよく、アンテナ１１４の一部分でもよい。無線送信器および／または無線受信器は、ネットワークノード１００に送付されるデジタルデータを、無線接続を介して受信してよい。無線送信器および／または無線受信器は、デジタルデータを、適切なチャネルおよび帯域幅パラメータを有する無線信号に変換してよい。次いで、無線信号は、アンテナ１１４を介してネットワークノード１００へ送信されてよい。
【００４０】
プロセッサ１１２は、マイクロプロセッサ、コントローラ、マイクロコントローラ、中央処理装置、デジタル信号プロセッサ、特定用途向け集積回路、フィールドプログラマブルゲートアレイ、処理回路、または任意の他の適切なコンピュータデバイス、リソースのうち１つまたは複数の組合せ、あるいは、単独で、または記憶機構１１３など無線デバイス１１０の他の構成要素と組み合わせて、無線デバイス１１０の機能をもたらすように動作可能なハードウェア、ソフトウェアおよび／または符号化されたロジックの組合せでよい。そのような機能には、本明細書で開示された機能または利点のうち任意のものを含めて、本明細書で論じられた様々な無線機能をもたらすことが含まれ得る。
【００４１】
記憶機構１１３は、限定することなく、持続性の記憶機構、ソリッドステートメモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性の記憶装置でよい。記憶機構１１３は、無線デバイス１１０によって利用される、ソフトウェアおよび符号化されたロジックを含む任意の適切なデータ、命令、または情報を記憶し得る。記憶機構１１３は、プロセッサ１１２による任意の計算および／またはインターフェース１１１を介して受信した任意のデータを記憶するように使用され得る。
【００４２】
アンテナ１１４は、データおよび／または信号を無線で送受信することができる任意のタイプのアンテナでよい。いくつかの実施形態では、アンテナ１１４は、２ＧＨｚ〜６６ＧＨｚの無線信号を送受信するように動作可能な１つまたは複数の全方向アンテナ、セクタアンテナ、またはパネルアンテナを備え得る。簡単さのために、アンテナ１１４は、無線信号が使用されている限り、インターフェース１１１の一部分と見なされ得る。
【００４３】
電力源１１５は電力管理回路を備え得る。電力源１１５は電源から電力を受け取ってよく、電源は、電力源１１５に備わっていても、または電力源１１５の外部にあってもよい。たとえば、無線デバイス１１０は、電力源１１５に接続されているかまたは電力源１１５に組み込まれているバッテリまたはバッテリパックの形態の電源を備え得る。光起電力デバイスなど他のタイプの電力源も使用され得る。さらなる例として、無線デバイス１１０は、入力回路または電気ケーブルなどのインターフェースを介して外部の電源（電力コンセントなど）に接続可能でよく、これによって外部の電源が電力源１１５に電力を供給する。電力源１１５は、インターフェース１１１、プロセッサ１１２、記憶機構１１３に対して電気的に結合されてよく、本明細書に記載の機能を実施するための電力を無線デバイス１１０に供給するように設定されてよい。
【００４４】
特定の実施形態では、ネットワークノード１００は、無線ネットワークコントローラとインターフェースをとってよい。無線ネットワークコントローラはネットワークノード１００を制御してよく、特定の無線リソース管理機能、移動性管理機能、および／または他の適切な機能を提供し得る。特定の実施形態では、無線ネットワークコントローラの機能はネットワークノード１００によって実施され得る。無線ネットワークコントローラはコアネットワークノードとインターフェースをとってよい。特定の実施形態では、無線ネットワークコントローラは、相互接続ネットワークを介してコアネットワークノードとインターフェースをとってよい。相互接続ネットワークは、音声、映像、信号、データ、メッセージ、または前出のものの任意の組合せを送信することができる任意の相互接続システムを指し得る。相互接続ネットワークは、ＰＳＴＮ、公衆データネットワークもしくは私的データネットワーク、ローカルエリアネットワーク（ＬＡＮ）、都市内ネットワーク（ＭＡＮ）、広域ネットワーク（ＷＡＮ）、構内通信、地域内通信、もしくはグローバル通信、またはインターネット、有線もしくは無線のネットワーク、企業イントラネットなどのコンピュータネットワーク、またはこれらの組合せを含む任意の他の適切な通信リンクのすべてもしくは一部分を含み得る。図１０は、無線ネットワークコントローラのさらなる機能を説明する。
【００４５】
いくつかの実施形態では、コアネットワークノードは、無線デバイス１１０に対する通信セッションおよび様々な他の機能の確立を管理し得る。無線デバイス１１０は、非アクセス階級（ＮＡＳ）層を使用して、コアネットワークノードと特定の信号を交換してよい。非アクセス階級のシグナリングでは、無線デバイス１１０とコアネットワークノードの間の信号は無線アクセスネットワークを透過的に通過し得る。特定の実施形態では、ネットワークノード１００は、ノード間インターフェースを通じて１つまたは複数のネットワークノードとインターフェースをとってよい。たとえば、ネットワークノード１００ａおよび１００ｂは、Ｘ２インターフェースを通じてインターフェースをとってよい。
【００４６】
図５は無線通信ネットワークの特別な機構を図解しているが、本開示は、本明細書に記載の様々な実施形態が任意の適切な設定を有する様々なネットワークに適用され得ることを企図する。たとえば、無線通信ネットワークは、任意の適切な数の無線デバイス１１０およびネットワークノード１００、ならびに、各無線デバイスの間、または無線デバイスと別の通信デバイス（地上通信線電話など）の間の通信をサポートするのに適切な任意の追加要素を含み得る。さらに、特定の実施形態は、Ｌｏｎｇ−Ｔｅｒｍ  Ｅｖｏｌｕｔｉｏｎ（ＬＴＥ）ネットワークにおいて実施されると説明され得るが、任意の適切なタイプの電気通信システムにおいて実施され得、このような通信システムは、任意の適切な通信規格をサポートし、任意の適切な構成要素を使用するものであり、無線デバイスが信号（たとえばデータ）を送受信するあらゆるＲＡＴまたはマルチＲＡＴシステムに適用可能である。たとえば、本明細書に記載の様々な実施形態は、ＮＲ、５Ｇ、ＬＴＥ、ＬＴＥ−Ａｄｖａｎｃｅｄ、ＵＭＴＳ、ＨＳＰＡ、ＧＳＭ、ｃｄｍａ２０００、ＷｉＭａｘ、ＷｉＦｉ、または任意の他の適切な無線アクセス技術に適用可能であり得る。
【００４７】
上記で説明されたように、本開示の実施形態は、複数個のヌメロロジーを送信するためのスペクトル利用を決定しかつ改善するためのシステムおよび方法を説明する。図６は、特定の実施形態による、複数個のヌメロロジーを利用する送信２００の一例である。表された例では、無線デバイス１１０またはネットワークノード１００（たとえばｇＮＢ）は４０ＭＨｚのキャリアを割り当てられている。無線デバイス１１０またはネットワークノード１００は、特定の送信時間間隔（ＴＴＩ）にわたって２つのヌメロロジーを送信し得る。図６の例では、帯域幅の半分がそれぞれのヌメロロジーに割り当てられる。第１のヌメロロジーは１５ｋＨｚのサブキャリア間隔に基づき、第２のヌメロロジーは６０ｋＨｚのサブキャリア間隔に基づく。
【００４８】
それぞれのヌメロロジー向けに判断されたスペクトル利用が試験される。１５ｋＨｚのサブキャリア間隔に対して２１６のＰＲＢが使用され得る。これは９７．２％のパーセンテージスペクトル利用に対応する。６０ｋＨｚのサブキャリア間隔に対して５１のＰＲＢが使用され得る。これは９１．８％のパーセンテージスペクトル利用に対応する。６０ｋＨｚのサブキャリア間隔からの９１．８％は、２つのうち小さい方であり、したがってスペクトル利用に関する基本として使用される。６０ｋＨｚのＳＣＳに対して使用されるＰＲＢの量は等式１で示される。
2020533893.tif 000005
１５ｋＨｚのＳＣＳに対して使用されるＰＲＢの量は等式２で示される。
2020533893.tif 000006
後のステージにおいて、無線デバイスまたはｇＮＢは、１５ｋＨｚのＳＣＳに帯域幅の７５％を割り当て、６０ｋＨｚのＳＣＳに帯域幅の２５％を割り当てることを決定する。６０ｋＨｚのＳＣＳに対して使用されるＰＲＢの量は等式３で示される。
2020533893.tif 000007
１５ｋＨｚのＳＣＳに対して使用されるＰＲＢの量は等式４で示される。
2020533893.tif 000008
【００４９】
図７は、特定の実施形態による、複数個のヌメロロジーを利用する送信３００の別の例である。表された例では、ネットワークノード１００（たとえばｇＮＢ）は、８０ＭＨｚの帯域幅の範囲内で１５ｋＨｚ、３０ｋＨｚおよび６０ｋＨｚの３つのヌメロロジーを送信し得る。図解された実施形態では、帯域幅のエッジの近くにあるのは１５ｋＨｚおよび６０ｋＨｚのヌメロロジーのみであり、したがって、考慮に入れられるのはこれらのヌメロロジーのみである。８０ＭＨｚの帯域幅では、パーセンテージスペクトル利用は、６０ｋＨｚのＳＣＳに関して９６．３％であり、１５ｋＨｚのＳＣＳについては定義されない。最大のＳＣＳが最も低いスペクトル利用を示唆することになるので、したがって、この場合、６０ｋＨｚのＳＣＳ向けに定義された９６．３％がスペクトル利用のための基本として使用され得る。
【００５０】
ネットワークノード１００は、１５ｋＨｚのヌメロロジーに帯域幅の５０％を割り当ててよく、３０ｋＨｚのヌメロロジーと６０ｋＨｚのヌメロロジーにはそれぞれ帯域幅の２５％を割り当ててよい。６０ｋＨｚのＳＣＳに対して使用されるＰＲＢの量は等式５で示される。
2020533893.tif 000009
３０ｋＨｚのＳＣＳに対して使用されるＰＲＢの量は等式６で示される。
2020533893.tif 000010
１５ｋＨｚのＳＣＳに対して使用されるＰＲＢの量は等式７で示される。
2020533893.tif 000011
【００５１】
図８は、特定の実施形態による、スペクトル利用を決定するための例示の流れ図を図解する。ステップ４１０において、ネットワークノード１００Ａ、無線デバイス１１０、または別の送信器などの装置は、スペクトル利用が考慮に入れられ得るヌメロロジーを選択してよい。ステップ４２０において、装置は、選択されたヌメロロジーの各々に関するスペクトル利用を決定してよい（たとえば計算してよい）。ステップ４３０において、装置は、通信のために考慮に入れるべきスペクトル利用を選択してよい。ステップ４４０において、装置は、割り当てられた帯域幅の割合および選択されたスペクトル利用に基づいて、それぞれのヌメロロジー向けのＰＲＢ割当てを計算してよい。いくつかの実施形態では、装置は、次いで、選択されたスペクトル利用およびＰＲＢ割当てを使用して受信装置と通信してよい。
【００５２】
図９は、特定の実施形態による、スペクトル利用を決定するための別の例示の流れ図を図解する。この方法は、ネットワークノード１００Ａ、無線デバイス１１０、または別の送信器などの装置が複数のヌメロロジーのうち１つまたは複数を選択するステップ５１０において始まる。特別な実施形態では、選択されたヌメロロジーは、割り当てられた帯域幅のエッジのどちらかで送信されてよい。
【００５３】
ステップ５２０において、装置は、１つまたは複数の選択されたヌメロロジーの各々に関するスペクトル利用を決定する。スペクトル利用は、選択されたヌメロロジーが、割り当てられた帯域幅にわたって送信されると達成されるはずのスペクトル利用に、基づく。特別な実施形態では、スペクトル利用は、別のノードから受信された情報、および／またはルールの適用に基づいて決定されてよい。
【００５４】
特別な実施形態では、スペクトル利用はユーザデータのために使用され、割り当てられた帯域幅の範囲内に、帯域幅の第１の量を含む。割り当てられた帯域幅の範囲内の帯域幅の第２の量は使用されない。特別な実施形態では、帯域幅の第２の量の一部分が帯域幅の第１の量のそれぞれの側に配設されて、２つの隣接したヌメロロジーの間のガードとして機能する。帯域幅の第２の量は帯域幅の第１の量に基づいて決定されてよい。
【００５５】
特別な実施形態では、所定のスペクトル利用が使用され得る。所定のスペクトル利用は、より高い所定の帯域幅とより低い所定の帯域幅のうち１つに基づくものでよい。別の実施形態では、補間されたスペクトル利用が使用され得る。補間されたスペクトル利用は、割り当てられた帯域幅の、所定のより低い帯域幅および所定のより高い帯域幅と比較した位置に基づくものでよい。
【００５６】
ステップ５３０において、ヌメロロジーの各々についてＰＲＢ割当てが計算される。ＰＲＢ割当ては、割り当てられた帯域幅およびスペクトル利用に基づく。特別な実施形態では、ＰＲＢ割当ては最も近いＰＲＢに端数切捨で丸められてよい。
【００５７】
特別な実施形態では、スペクトル利用は、たとえばステップ５２０において１つまたは複数のヌメロロジー向けに決定されたスペクトル利用から選択されてよい。次いで、選択されたスペクトル利用は、ＰＲＢ割当ての計算のために使用され得る。単なる一例として、選択されたスペクトル利用は、１つまたは複数のヌメロロジー向けに決定されたスペクトル利用のうち最も低いスペクトル利用でよい。
【００５８】
図１０は、特定の実施形態による、例示的な無線ネットワークコントローラまたはコアネットワークノード６１０の概略ブロック図である。ネットワークノードの例には、移動交換センタ（ＭＳＣ）、サービングＧＰＲＳサポートノード（ＳＧＳＮ）、移動性管理エンティティ（ＭＭＥ）、無線ネットワークコントローラ（ＲＮＣ）、基地局コントローラ（ＢＳＣ）などが含まれ得る。無線ネットワークコントローラまたはコアネットワークノード６１０は、プロセッサ６２０、記憶装置６３０、およびネットワークインターフェース６４０を含む。いくつかの実施形態では、プロセッサ６２０は、ネットワークノードによってもたらされるものとして上記で説明された機能のいくつかまたはすべてをもたらす命令を実行し、記憶装置６３０は、プロセッサ６２０によって実行される命令を記憶し、ネットワークインターフェース６４０は、ゲートウェイ、スイッチ、ルータ、インターネット、公衆スイッチ電話ネットワーク（ＰＳＴＮ）、ネットワークノード１００、無線ネットワークコントローラまたはコアネットワークノード６１０などの任意の適切なノードと信号を通信する。
【００５９】
プロセッサ６２０は、命令を実行し、データを操作して、無線ネットワークコントローラまたはコアネットワークノード６１０の説明された機能のうちいくつかまたはすべてを実施するように、１つまたは複数のモジュールで実施された、ハードウェアとソフトウェアの任意の適切な組合せを含み得る。いくつかの実施形態では、プロセッサ６２０は、たとえば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含み得る。
【００６０】
記憶装置６３０は、一般に、コンピュータプログラム、ソフトウェアなどの命令、ロジック、ルール、アルゴリズム、コード、テーブルなどのうち１つもしくは複数を含むアプリケーション、および／またはプロセッサによって実行され得る他の命令を記憶するように動作可能である。記憶装置６３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性の非一時的なコンピュータ可読および／またはコンピュータ実行可能記憶デバイスが含まれる。
【００６１】
いくつかの実施形態では、ネットワークインターフェース６４０は、プロセッサ６２０に対して通信可能に結合されており、また、ネットワークノードの入力を受信し、ネットワークノードから出力を送り、入力または出力または両方の適切な処理を実施し、他のデバイスと通信し、あるいは前出のことの任意の組合せを行うように動作可能な任意の適切なデバイスを指してよい。ネットワークインターフェース６４０は、ネットワークによって通信するためのプロトコル変換およびデータ処理の能力を含む、適切なハードウェア（たとえばポート、モデム、ネットワークインターフェースカードなど）およびソフトウェアを含み得る。
【００６２】
ネットワークノードの他の実施形態に含まれ得る、図１０に示されたもの以上のさらなる構成要素は、前述の機能のうちの任意のものおよび／または（前述の実施形態をサポートするのに必要なあらゆる機能を含む）任意の追加機能を含めて、ネットワークノードの機能の特定の態様をもたらすことに関与し得る。
【００６３】
図１１は、特定の実施形態による、例示的無線デバイス１１０の概略ブロック図である。無線デバイス１１０は１つまたは複数のモジュールを含み得る。たとえば、無線デバイス１１０は、決定モジュール７１０、通信モジュール７２０、および受信モジュール７３０を含み得る。任意選択で、無線デバイス１１０は、入力モジュール７４０、表示モジュール７５０、および任意の他の適切なモジュールを含み得る。無線デバイス１１０は、図１〜図１０に関連して上記で説明された機能のうち任意のものを実施してよい。
【００６４】
決定モジュール７１０は無線デバイス１１０の処理機能を実施し得る。特定の実施形態では、無線デバイス１１０は、図１〜図１０に関して上記で説明された機能のうち任意のものを実施し得る。決定モジュール７１０は、図５に関連して上記で説明されたプロセッサ１１２などの１つまたは複数のプロセッサに含まれてよく、または同プロセッサを含み得る。決定モジュール７１０は、決定モジュール７１０および／またはプロセッサ１１２の上記で説明された機能のうちの任意のものを実施するように設定されたアナログ回路および／またはデジタル回路を含み得る。一実施形態では、たとえば、決定モジュール７１０は、複数のヌメロロジーのうち１つまたは複数を選択してよい。決定モジュール７１０は、１つまたは複数の選択されたヌメロロジーの各々について、選択されたヌメロロジーが、割り当てられた帯域幅にわたって送信されると達成されるはずのスペクトル利用に基づいて、スペクトル利用を決定してよい。次いで、決定モジュール７１０は、割り当てられた帯域幅およびスペクトル利用に基づいてＰＲＢ割当てを計算してよい。特定の実施形態では、上記で説明された決定モジュール７１０の機能は、１つまたは複数の別個のモジュールにおいて実施されてよい。
【００６５】
通信モジュール７２０は無線デバイス１１０の通信機能を実施し得る。特定の実施形態では、通信モジュール７２０は、図１〜図１０に関して上記で説明された通信機能のうち任意のものを実施し得る。通信モジュール７２０は、図５で説明された無線ネットワークのネットワークノード１００ａ〜１００ｂのうち１つまたは複数にメッセージを送信してよい。通信モジュール７２０は、図５に関連して上記で説明されたインターフェース１１１および／またはアンテナ１１４などの送信器および／またはトランシーバを含み得る。通信モジュール７２０は、メッセージおよび／または信号を無線で送信するように設定された回路を含み得る。特別な実施形態では、通信モジュール７２０は、決定モジュール７１０から送信するためのメッセージおよび／または信号を受信してよい。特定の実施形態では、上記で説明された通信モジュール７２０の機能は、１つまたは複数の別個のモジュールにおいて実施され得る。
【００６６】
受信モジュール７３０は無線デバイス１１０の受信機能を実施し得る。特定の実施形態では、受信モジュール７３０は、図１〜図１０に関して上記で説明された無線デバイス１１０の受信機能のうち任意のものを実施し得る。受信モジュール７３０は、図５に関連して上記で説明されたインターフェース１１１および／またはアンテナ１１４などの受信器および／またはトランシーバを含み得る。受信モジュール７３０は、メッセージおよび／または信号を無線で受信するように設定された回路を含み得る。特別な実施形態では、受信モジュール７３０は、受信したメッセージおよび／または信号を決定モジュール７１０に通信してよい。
【００６７】
任意選択で、無線デバイス１１０は入力モジュール７４０を含み得る。入力モジュール７４０は、無線デバイス１１０向けに意図されたユーザ入力を受信し得る。たとえば、入力モジュールは、キー押し、ボタン押し、タッチ、スワイプ、音声信号、映像信号、および／または任意の他の適切な信号を受信し得る。入力モジュールは、１つもしくは複数のキー、ボタン、レバー、スイッチ、タッチスクリーン、マイクロフォン、および／またはカメラを含み得る。入力モジュールは、受信された信号を決定モジュール７１０に通信してよい。
【００６８】
任意選択で、無線デバイス１１０は表示モジュール７５０を含み得る。表示モジュール７５０は、無線デバイス１１０の表示器に信号を示し得る。表示モジュール７５０は、表示器ならびに／あるいは表示器に信号を示すように設定された任意の適切な回路およびハードウェアを含み得る。表示モジュール７５０は、決定モジュール７１０から、表示器に示すための信号を受信し得る。
【００６９】
決定モジュール７１０、通信モジュール７２０、受信モジュール７３０、入力モジュール７４０、および表示モジュール７５０は、すべてがハードウェアとして実施されるかまたはすべてがソフトウェアの支援の下で実施されるなど、ハードウェアおよび／またはソフトウェアの任意の適切な設定を含み得る。無線デバイス１１０に含まれ得る、図１１に示されたもの以上の追加のモジュールは、前述の機能のうちの任意のものおよび／または（本明細書に記載の様々な解決策をサポートするのに必要なあらゆる機能を含む）任意の追加機能を含めて、任意の特定の機能をもたらすことに関与し得る。
【００７０】
図１２は、特定の実施形態による例示的ネットワークノード１００の概略ブロック図である。ネットワークノード１００は１つまたは複数のモジュールを含み得る。たとえば、ネットワークノード１００は、決定モジュール８１０、通信モジュール８２０、受信モジュール８３０、および任意の他の適切なモジュールを含み得る。いくつかの実施形態では、決定モジュール８１０、通信モジュール８２０、受信モジュール８３０、または任意の他の適切なモジュールのうち１つまたは複数が、図５に関連して上記で説明されたプロセッサ１０２などの１つまたは複数のプロセッサを使用して実施され得る。特定の実施形態では、様々なモジュールのうち２つ以上のものの機能が単一のモジュールへと組み合わされてよい。ネットワークノード１００は、図１〜図１０を参照して上記で説明されたような実施形態に関連した１つまたは複数のステップを実施し得る。
【００７１】
決定モジュール８１０はネットワークノード１００の処理機能を実施し得る。特定の実施形態では、決定モジュール８１０は、図１〜図１０に関して上記で説明されたネットワークノードの機能のうち任意のものを実施し得る。例示の実施形態の１つでは、決定モジュール８１０は、ビーム切換え手順の一部分として、無線デバイス１１０を切り換えるように設定するための１つまたは複数のビームを決定してよい。
【００７２】
決定モジュール８１０は、図１に関連して上記で説明されたプロセッサ１０２などの１つまたは複数のプロセッサに含まれてよく、または同プロセッサを含み得る。決定モジュール８１０は、決定モジュール８１０および／またはプロセッサ１０２の上記で説明された機能のうちの任意のものを実施するように設定されたアナログ回路および／またはデジタル回路を含み得る。一実施形態では、決定モジュール８１０は、スペクトル利用を考慮に入れるべき複数のヌメロロジーを決定してよい。決定モジュール８１０は、次いで、選択されたヌメロロジーの各々に対するスペクトル利用を決定してよく、考慮に入れるべきスペクトル利用を選択してよい。決定モジュール８１０は、次いで、割り当てられた帯域幅の割合および選択されたスペクトル利用に基づいて、それぞれのヌメロロジー向けのＰＲＢ割当てを計算してよい。
【００７３】
別の実施形態では、決定モジュール８１０は、複数のヌメロロジーのうち１つまたは複数を選択してよい。決定モジュール８１０は、１つまたは複数の選択されたヌメロロジーの各々について、選択されたヌメロロジーが、割り当てられた帯域幅にわたって送信されると達成されるはずのスペクトル利用に基づいて、スペクトル利用を決定してよい。決定モジュール８１０は、次いで、割り当てられた帯域幅およびスペクトル利用に基づいてＰＲＢ割当てを計算してよい。
【００７４】
特定の実施形態では、決定モジュール８１０の機能は、１つまたは複数の別個のモジュールにおいて実施されてよい。たとえば、特定の実施形態では、決定モジュール８１０の機能のうちのいくつかは割当てモジュールによって実施され得る。
【００７５】
通信モジュール８２０はネットワークノード１００の送信機能を実施し得る。特定の実施形態では、ネットワークノード１００は、図１〜図１０に関して上記で説明されたノードの機能のうち任意のものを実施し得る。例示の実施形態の１つでは、通信モジュール８２０は、決定モジュール８１０によって決定されたＰＲＢ割当ておよび選択されたスペクトル利用を使用して無線デバイス１１０と通信してよい。
【００７６】
通信モジュール８２０は、無線デバイス１１０のうち１つまたは複数にメッセージを送信してよい。通信モジュール８２０は、図５に関連して上記で説明されたインターフェース１０１などの送信器および／またはトランシーバを含み得る。通信モジュール８２０は、メッセージおよび／または信号を無線で送信するように設定された回路を含み得る。特別な実施形態では、通信モジュール８２０は、決定モジュール８１０または任意の他のモジュールから送信するためのメッセージおよび／または信号を受信してよい。
【００７７】
受信モジュール８３０はネットワークノード１００の受信機能を実施し得る。特定の実施形態では、受信モジュール８３０は、図１〜図１０において上記で説明されたネットワークノード１００の機能のうち任意のものを実施し得る。受信モジュール８３０は、無線デバイス１１０から任意の適切な情報を受信し得る。受信モジュール８３０は、図４に関連して上記で説明されたインターフェース１０１および／またはアンテナ１０４などの受信器および／またはトランシーバを含み得る。受信モジュール８３０は、メッセージおよび／または信号を無線で受信するように設定された回路を含み得る。特別な実施形態では、受信モジュール８３０は、受信したメッセージおよび／または信号を決定モジュール８１０または任意の他の適切なモジュールに通信してよい。
【００７８】
決定モジュール８１０、通信モジュール８２０、および受信モジュール８３０は、すべてがハードウェアとして実施されるかまたはすべてがソフトウェアの支援の下で実施されるなど、ハードウェアおよび／またはソフトウェアの任意の適切な設定を含み得る。ネットワークノード１００に含まれ得る、図１２に示されたもの以上の追加のモジュールは、前述の機能のうちの任意のものおよび／または（本明細書に記載の様々な実施形態をサポートするのに必要なあらゆる機能を含む）任意の追加機能を含めて、任意の特定の機能をもたらすことに関与し得る。
【００７９】
特定の実施形態によれば、ネットワークノードにおいて、割り当てられた帯域幅の範囲内で送信される複数のヌメロロジー用のスペクトル利用を決定するための方法は、複数のヌメロロジーのうち１つまたは複数を選択することを含む。１つまたは複数の選択されたヌメロロジーの各々について、スペクトル利用が決定される。スペクトル利用は、選択されたヌメロロジーが、割り当てられた帯域幅にわたって送信されると達成されるはずのスペクトル利用に、基づく。割り当てられた帯域幅およびスペクトル利用に基づいて、物理的リソースブロック（ＰＲＢ）割当てが計算される。複数のヌメロロジーのうち１つは、割り当てられた帯域幅の範囲内で実施される。
【００８０】
特別な実施形態では、複数のヌメロロジーのうち１つまたは複数を選択することは割り当てられた帯域幅のエッジのどちらかで送信される１つまたは複数のヌメロロジーを選択することを含む。
【００８１】
特別な実施形態では、実施されるヌメロロジーは、必要とする決定されたスペクトル利用が最も低いヌメロロジーである。
【００８２】
特別な実施形態では、ＰＲＢ割当ての計算は、ＰＲＢ割当てを最も近いＰＲＢに端数切捨で丸めることを含む。
【００８３】
特別な実施形態では、スペクトル利用を決定することは、所定のスペクトル利用を使用することをさらに含み、所定のスペクトル利用は、より高い所定の帯域幅およびより低い所定の帯域幅のうち１つに基づく。
【００８４】
特別な実施形態では、スペクトル利用を決定することは補間されたスペクトル利用を使用することをさらに含み、補間されたスペクトル利用は、割り当てられた帯域幅の、所定のより低い帯域幅および所定のより高い帯域幅と比較した位置に基づく。
【００８５】
特定の実施形態によれば、割り当てられた帯域幅の範囲内で送信される複数のヌメロロジー用のスペクトル利用を決定するためのネットワークノードの一例は、複数のヌメロロジーのうち１つまたは複数を選択するように設定された処理回路を含む。１つまたは複数の選択されたヌメロロジーの各々について、スペクトル利用は、選択されたヌメロロジーが、割り当てられた帯域幅にわたって送信されると達成されるはずのスペクトル利用に基づいて、決定される。割り当てられた帯域幅およびスペクトル利用に基づいて、物理的リソースブロック（ＰＲＢ）割当てが計算される。複数のヌメロロジーのうち１つは、割り当てられた帯域幅の範囲内で実施される。
【００８６】
特別な実施形態では、処理回路は、複数のヌメロロジーのうち１つまたは複数を選択するために、割り当てられた帯域幅のエッジのどちらかで送信される１つまたは複数のヌメロロジーを選択するように設定されている。
【００８７】
特別な実施形態では、実施されるヌメロロジーは、必要とする決定されたスペクトル利用が最も低いヌメロロジーである。
【００８８】
特別な実施形態では、処理回路は、ＰＲＢ割当てを計算するために、ＰＲＢ割当てを最も近いＰＲＢに端数切捨で丸めるように設定されている。
【００８９】
特別な実施形態では、処理回路は、スペクトル利用を決定するために所定のスペクトル利用を使用するようにさらに設定されており、所定のスペクトル利用は、より高い所定の帯域幅およびより低い所定の帯域幅のうち１つに基づく。
【００９０】
特別な実施形態では、処理回路は、スペクトル利用を決定するために、割り当てられた帯域幅の、所定のより低い帯域幅および所定のより高い帯域幅と比較した位置に基づく、補間されたスペクトル利用を使用するようにさらに設定されている。
【００９１】
特定の実施形態によれば、コンピュータ可読プログラムコードを記憶する非一時的コンピュータ可読媒体を備える記憶機構（１１３、１０３）の形態のコンピュータプログラム製品が提供され、コンピュータ可読プログラムコードは、処理回路によって実行されたとき、上記で説明された任意のものを実施するように動作可能である。
【００９２】
特定の実施形態によれば、スペクトル利用を決定する方法／処理回路／プログラムコードは、別のノードから受信された情報、および／またはルールの適用に基づく。
【００９３】
本開示の範囲から逸脱することなく、本明細書に記載のシステムおよび装置に対する修正、追加、または省略が可能である。システムおよび装置の構成要素は、一体化したり分離したりすることができる。その上に、システムおよび装置の動作は、より多数の構成要素、より少数の構成要素、または他の構成要素によって実施され得る。加えて、システムおよび装置の動作は、ソフトウェア、ハードウェア、および／または他のロジックに含まれる任意の適切なロジックを使用して実施され得る。この文献で使用されるように、「各」は、セットの各部材またはセットのサブセットの各部材を指す。
【００９４】
本開示の範囲から逸脱することなく、本明細書に記載の方法に対する修正、追加、または省略が可能である。これらの方法は、より多数のステップ、より少数のステップ、または他のステップを含み得る。加えて、ステップは任意の適切な順番で実施されてよい。一般に、特許請求の範囲で使用されるすべての用語は、本明細書で明示的に別様に規定されなければ、当技術分野における通常の意味に従って解釈されるべきである。「１つの（ａ）／１つの（ａｎ）／その（ｔｈｅ）要素、装置、構成要素、手段、ステップなど」に対するすべての参照は、別様に明白に明示されなければ、要素、装置、構成要素、手段、ステップなどの実体のうち少なくとも１つを参照するように、オープンに解釈されるべきである。本明細書で開示されたいかなる方法のステップも、明白に明示されなければ、開示された順番通り正確に実施する必要はない。
【００９５】
この開示は特定の実施形態に関して説明されてきたが、当業者には実施形態の改変形態および置換形態が明白であろう。それゆえに、実施形態の上記の説明がこの開示に制約を加えることはない。以下の特許請求の範囲によって規定されるように、この開示の趣旨および範囲から逸脱することなく、他の変更形態、置換形態、および改変形態が可能である。
【００９６】
前出の説明で使用された省略形は以下のものを含む。
【００９７】
省略形        説明
３ＧＰＰ      第３世代パートナーシッププロジェクト
ＡＣＳ        隣接チャネル選択性
ＣＰ          サイクリックプレフィックス
Ｄ２Ｄ        デバイス間
Ｅ−ＵＴＲＡ  拡張ユニバーサル地上無線アクセス
ＧＨｚ        ギガヘルツ
ｇＮＢ        ５ＧノードＢ
ｋＨｚ        キロヘルツ
ＬＴＥ        Ｌｏｎｇ  Ｔｅｒｍ  Ｅｖｏｌｕｔｉｏｎ
ＭＢＢ        移動性ブロードバンド
ＭＨｚ        メガヘルツ
ＭＴＣ        マシンタイプ通信
ＮＲ          新無線
ＯＦＤＭ      直交周波数分割多重
ＰＲＢ        物理的リソースブロック
ＲＡＴ        無線アクセス技術
ＳＣＳ        サブキャリア間隔
ＴＴＩ        送信時間間隔
ＵＲＬＬＣ    超高信頼低レイテンシ通信
ＵＳＥＣ      マイクロ秒
ＵＴＲＡ      ユニバーサル地上波無線アクセス
Ｖ２Ｖ        車両間
Ｖ２Ｘ        路車間
【図１】
2020533893.tif 000012
【図２】
2020533893.tif 000013
【図３】
2020533893.tif 000014
【図４Ａ】
2020533893.tif 000015
【図４Ｂ】
2020533893.tif 000016
【図５】
2020533893.tif 000017
【図６】
2020533893.tif 000018
【図７】
2020533893.tif 000019
【図８】
2020533893.tif 000020
【図９】
2020533893.tif 000021
【図１０】
2020533893.tif 000022
【図１１】
2020533893.tif 000023
【図１２】
2020533893.tif 000024
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
割り当てられた帯域幅の範囲内で複数個のヌメロロジーを送信するためのスペクトル利用を決定するための方法であって、
複数のヌメロロジーから前記複数個のヌメロロジーを選択することと、
前記選択されたヌメロロジーの各々について、
前記選択されたヌメロロジーが前記割り当てられた帯域幅の全体にわたって分離して送信されると達成されるはずのスペクトル利用に基づくスペクトル利用を決定することと、
前記選択されたヌメロロジー用に決定された前記スペクトル利用から、スペクトル利用を、ＰＲＢ割当てを計算するために使用される前記スペクトル利用の基本となるように選択することと、
前記割り当てられた帯域幅および前記選択されたスペクトル利用に基づく物理的リソースブロック（ＰＲＢ）割当てを計算することとを含む方法。
【請求項２】
前記スペクトル利用が、前記割り当てられた帯域幅の範囲内のユーザデータ用の第１の量の帯域幅と、前記割り当てられた帯域幅の範囲内の、使用されない第２の量の帯域幅とを含む、請求項１に記載の方法。
【請求項３】
前記第２の量の帯域幅の一部分が、前記第１の量の帯域幅のそれぞれの側に配設されて、帯域幅割当ての間のガードとして機能する、請求項２に記載の方法。
【請求項４】
前記第２の量の帯域幅が前記第１の量の帯域幅に基づいて決定される、請求項２または３に記載の方法。
【請求項５】
前記複数個のヌメロロジーを選択することが、前記割り当てられた帯域幅のエッジのどちらかで送信されるヌメロロジーを選択することを含む、請求項１から４のいずれか一項に記載の方法。
【請求項６】
前記選択されたスペクトル利用が最も低いスペクトル利用を含む、請求項１から５のいずれか一項に記載の方法。
【請求項７】
前記ＰＲＢ割当てを計算することが、前記ＰＲＢ割当てを最も近いＰＲＢに端数切捨で丸めることを含む、請求項１から６のいずれか一項に記載の方法。
【請求項８】
前記スペクトル利用を決定することが、所定のスペクトル利用を使用することをさらに含み、前記所定のスペクトル利用が、より高い所定の帯域幅およびより低い所定の帯域幅のうち１つに基づくものである、請求項１から７のいずれか一項に記載の方法。
【請求項９】
前記スペクトル利用を決定することが、補間されたスペクトル利用を使用することをさらに含み、前記補間されたスペクトル利用が、所定のより低い帯域幅および所定のより高い帯域幅と比較した、前記割り当てられた帯域幅の位置に基づく、請求項１から７のいずれか一項に記載の方法。
【請求項１０】
前記複数個の選択されたヌメロロジーの各々について、前記スペクトル利用に基づいて、それぞれのヌメロロジーの、どちらかの側で使用されない帯域幅の量を決定することをさらに含む、請求項１から９のいずれか一項に記載の方法。
【請求項１１】
前記ＰＲＢ割当てが、前記割り当てられた帯域幅の割合に基づくものである、請求項１から１０のいずれか一項に記載の方法。
【請求項１２】
前記スペクトル利用が、別のノードから受信された情報、および／またはルールの適用に基づいて決定される、請求項１から１１のいずれか一項に記載の方法。
【請求項１３】
ネットワークノードによって遂行される、請求項１から１２のいずれか一項に記載の方法。
【請求項１４】
無線デバイスによって遂行される、請求項１から１２のいずれか一項に記載の方法。
【請求項１５】
割り当てられた帯域幅の範囲内で複数個のヌメロロジーを送信するためのスペクトル利用を決定するための装置（１００Ａ、１１０）であって、ネットワークノードが処理回路（１０２、１１２）を備え、前記処理回路（１０２、１１２）が、
複数のヌメロロジーから複数個のヌメロロジーを選択し、
前記選択されたヌメロロジーの各々について、
前記選択されたヌメロロジーが前記割り当てられた帯域幅の全体にわたって分離して送信されると達成されるはずのスペクトル利用に基づくスペクトル利用を決定し、
前記選択されたヌメロロジー用に決定された前記スペクトル利用から、スペクトル利用を、ＰＲＢ割当てを計算するために使用される前記スペクトル利用の基本となるように選択し、
前記割り当てられた帯域幅および前記選択されたスペクトル利用に基づく物理的リソースブロック（ＰＲＢ）割当てを計算するように設定されている、装置（１００Ａ、１１０）。
【請求項１６】
前記スペクトル利用が、ユーザデータ用に使用され、前記割り当てられた帯域幅の範囲内に第１の量の帯域幅を含み、前記割り当てられた帯域幅の範囲内の第２の量の帯域幅は使用されない、請求項１５に記載の装置。
【請求項１７】
前記第２の量の帯域幅の一部分が、前記第１の量の帯域幅のそれぞれの側に配設されて、帯域幅割当ての間のガードとして機能する、請求項１６に記載の装置。
【請求項１８】
前記第２の量の帯域幅が前記第１の量の帯域幅に基づいて決定される、請求項１６または１７に記載の装置。
【請求項１９】
前記処理回路が、前記複数個のヌメロロジーを選択するために、前記割り当てられた帯域幅のエッジのどちらかで送信されるヌメロロジーを選択するように設定されている、請求項１５から１８のいずれか一項に記載の装置。
【請求項２０】
前記選択されたスペクトル利用が最も低いスペクトル利用を含む、請求項１５から１９のいずれか一項に記載の装置。
【請求項２１】
ネットワークノードを備える、請求項１５から２０のいずれか一項に記載の装置。
【請求項２２】
無線デバイスを備える、請求項１５から２０のいずれか一項に記載の装置。
【請求項２３】
コンピュータ可読プログラムコードを記憶する非一時的コンピュータ可読媒体を備える記憶機構（１０３、１１３）の形態のコンピュータプログラム製品であって、前記コンピュータ可読プログラムコードが、装置によって実行されたとき、請求項１から１４のいずれか一項に記載の方法を実施するように動作可能である、コンピュータプログラム製品。
【国際調査報告】
2020533893.tif 000025
2020533893.tif 000026
2020533893.tif 000027